(57)【要約】      （修正有）【課題】記念写真とメッセージ等を一緒に残すことができる壁掛けを提供する。【解決手段】壁掛け１は、布地２に印刷物が印刷され、布地２を横断するように目盛りが印刷された目盛り領域３と、一以上の写真が印刷された写真領域５とタイトルが印刷されたタイトル領域４と、を含み、写真領域５にはメッセージが印刷されたメッセージ領域８が含まれる。【選択図】図１
0003217233.tif 000002
【実用新案登録請求の範囲】
【請求項１】
布地に印刷物が印刷された壁掛けであって、
前記布地を横断するように目盛りが印刷された目盛り領域と、
一以上の写真が印刷された写真領域と
タイトルが印刷されたタイトル領域と、を含み、
前記写真領域にはメッセージが印刷されたメッセージ領域が含まれる
ことを特徴とする壁掛け。
【請求項２】
布地に印刷物が印刷された壁掛けであって、
前記布地が輪を形成し、
前記輪に通る軸棒を有し、
前記布地を前記軸棒の周りに回転させてずらすことで表示される内容を変更することができる
ことを特徴とする壁掛け。
【請求項３】
布地に印刷物が印刷された壁掛けであって、
前記布地の中央を横断するように目盛りが印刷された目盛り領域と、
一以上の写真が印刷された写真領域と、
タイトルが印刷されたタイトル領域と、を含み、
前記写真領域は、第１写真領域と、第２写真領域を有し、
前記第１写真領域にはメッセージが印刷されたメッセージ領域が含まれ、
前記布地は、複数の前記布地を繋いで輪を形成し、
前記輪に通る軸棒を有し、
前記軸棒の両端は、前記布地が掛けられる部分より太く形成され、装飾品を挿す凹み部が設けられる
ことを特徴とする壁掛け。
【考案の詳細な説明】
【技術分野】
【０００１】
本考案は、壁掛けに関する。
【背景技術】
【０００２】
壁掛け、掛け軸、あるいはタペストリーと呼ばれるものは、一枚の絵や文字等を壁に掛けられるよう加工されたものが一般的である。
【０００３】
特許文献１には、一般的な掛け軸の形状を有するものであって、作品を損傷したりすることなく任意に脱着できる軸木について記載されている。
【先行技術文献】
【特許文献】
【０００４】
【特許文献１】特開２００４−７３６９３号
【考案の概要】
【考案が解決しようとする課題】
【０００５】
このような掛け軸等の壁に掛けて鑑賞するものであり、一枚の絵や文字等から成る作品が一般的である。また、一つの作品の場合、気分や状況によって作品を飾り替える必要があり、作品を掛けかえなければならず、上述の特許文献１の脱着可能な軸木を使用した場合でも、一つの作品ごとに飾り換える必要があり、手間がかかるものである。
従来の記念写真では、主役の人物写真のみで構成されるものが一般的で、祝事等の場合に、御祝いをしてくれた人たちから貰ったメッセージ等は、別途保管しておく必要があった。
【０００６】
本考案の目的は、記念写真とメッセージ等を一緒に残すことができる壁掛けを提供することにある。また、複数の記念写真等の作品を掛けかえることなく飾る事ができる壁掛けを提供することにある。
【課題を解決するための手段】
【０００７】
本考案は、上記課題の少なくとも１つを解決するものであるが、その例を挙げるならば、次の通りである。すなわち、本考案の一態様である壁掛けは、布地に印刷物が印刷された壁掛けであって、前記布地を横断するように目盛りが印刷された目盛り領域と、一以上の写真が印刷された写真領域とタイトルが印刷されたタイトル領域と、を含み、前記写真領域にはメッセージが印刷されたメッセージ領域を含む。
【０００８】
前記布地が輪を形成し、前記輪に通る軸棒を有し、前記布地を前記軸棒の周りに回転させてずらすことで表示される内容を変更することができるものであってもよい。
【０００９】
前記布地の中央を横断するように目盛りが印刷された目盛り領域と、一以上の写真が印刷された写真領域と、タイトルが印刷されたタイトル領域と、を含み、前記写真領域は、第１写真領域と、第２写真領域を有し、前記第１写真領域にはメッセージが印刷されたメッセージ領域が含まれ、前記布地は、複数の前記布地を繋いで輪を形成し、前記輪に通る軸棒を有し、前記軸棒の両端は、前記布地が掛けられる部分より太く形成され、装飾品を挿す凹み部が設けられるものであってもよい。
【考案の効果】
【００１０】
本考案によれば、記念写真とメッセージ等を一緒に残すことができる壁掛けが提供される。また、複数の記念写真等の作品を掛けかえることなく飾る事ができる壁掛けが提供される。
【図面の簡単な説明】
【００１１】
【図１】実施形態１に係る壁掛けを示す図である。
【図２】実施形態１に係る壁掛けの一例を示す図である。
【図３】実施形態２に係る壁掛けの一例を示す図である。
【図４】実施形態２に係る壁掛けを説明するための図である。
【図５】実施形態２に係る壁掛けの他の例を示す図である。
【考案を実施するための形態】
【００１２】
本考案の実施形態の例について、以下、図に基づいて説明する。
＜実施形態１＞
【００１３】
図１は、実施形態１に係る壁掛けを示す図である。
【００１４】
図１に示すように、壁掛け１は、布地２に印刷された、目盛り領域３と、タイトル領域４と、写真領域５と、を含んでいる。
【００１５】
本実施形態における壁掛け１の布地２は長方形をしており、長辺が飾った時に縦となる。布地２の長辺は、約１ｍの長さを有している。ここで、布地２は、長方形だけでなく、正方形等の他の形状をしていてもよく、大きさも１ｍより小さいものや大きいものであってもよい。
【００１６】
目盛り領域３は、布地２を縦方向に横断するように印刷されている。本実施形態では、布地２の中央を横断するように印刷されている。目盛り領域３を境として、布地２は右側領域Ａと左側領域Ｂに分けられる。目盛り領域３の目盛りは、任意の連続する数値で形成される。本実施形態では、数値は１０から始まり、実寸値であるが、もちろん０から始まってもよく、他の数値から始まってもよいし、実寸値でなくてもよい。
【００１７】
タイトル領域４は、布地２の右側領域Ａの上側に印刷される。タイトル領域４には、記念写真のタイトルとなるような文言が印刷される。例えば、誕生祝いの記念写真の場合には、「お誕生日おめでとう！」の文字と生年月日が印刷される。
【００１８】
写真領域５は、第１写真領域６と、第２写真領域７と、から構成される。第１写真領域６は、布地２の右側領域Ａの下側に設けられる。第２写真領域７は、布地２の左側領域Ｂに設けられる。本実施形態では、第１写真領域６に人物写真が、第２写真領域７に動物写真が印刷される。
【００１９】
第１写真領域６は、メッセージ領域８を含んでいる。メッセージ領域８は、板状で、記念写真に写る人物に対しての家族や友人等のメッセージが記載される。記念写真に写る人物がメッセージ領域８を手に持って記念撮影をすることで、記念写真とメッセージ等を一緒に残すことができる。本実施形態では、誕生日祝いの言葉が書かれたメッセージ領域８の板状シートを記念写真に写る子供が持っている写真が印刷される。
【００２０】
第２写真領域７は、動物写真が印刷される。印刷される動物は、単体であってもよいし、複数体であってもよい。記念写真に写る人物が選んだ好きな動物であってもよい。
【００２１】
図２は、本実施形態の一例を示す図である。壁掛け１は、布地２を横断するように配置された目盛り領域３の実寸値の目盛りと、目盛り領域３の右側領域Ａの上側のタイトル領域４に「お誕生日おめでとう」の文字と生年月日が印刷されている。また、右側領域Ａの下側の第１写真領域６に、メッセージ領域８の板状シートを持った子供の写真、左側領域Ｂの第２写真領域７に動物の写真が印刷されている。
【００２２】
本実施形態によれば、記念写真とメッセージや記念作品を一緒に残すことができる。壁掛けを作成する段階での記念撮影時に、通常の人物のみの撮影とは違った楽しみを味わうことができる。また、出来上がった壁掛けは布地のため軽く、飾り付けがしやすいものとなる。さらに、布地のため保管に便利なものとなる。また、目盛り領域の目盛りは実寸値のため、身長を計測することもできる。
【００２３】
なお、メッセージ領域８は、記念写真に写る人物が製作した作品としてもよい。この場合、家族や友人等のメッセージは、タイトル領域４に印刷されていてもよい。
【００２４】
あるいは、タイトル領域４を設けずに、メッセージ領域８にタイトル領域の文言等を含めたものとしてもよい。
【００２５】
第２写真領域７は、動物写真を印刷したが、動物写真に限られず、風景写真などであってもよい。家族写真等複数の写真を印刷してもよく、記念写真に写る人物が子供ならば将来なりたい職業の写真が印刷されていてもよい。
【００２６】
また、写真領域５の人物写真と動物写真は、目盛り領域３の実寸値の目盛りに合わせて縮尺し、人物と動物の大きさが比較できるようにして印刷されていてもよい。
＜実施形態２＞
【００２７】
図３，図４および図５は、実施形態２を説明するための図である。図３は、実施形態の一例の斜視図である。図４（ａ）は、軸の正面図、図４（ｂ）は、布地の斜視図である。図５は、実施形態２の他の例を示す斜視図である。
【００２８】
図３に示すように、壁掛け１Ａは、布地２ａと軸棒９とを備える。布地２ａは、実施形態１の壁掛け１の布地２を複数繋いだものである。壁掛け１の部分については、実施形態１と同様のため説明を省略する。
【００２９】
図４（ｂ）に示すように、布地２ａは、写真等が印刷された布地２の端部を繋げて輪にしている（繋ぎ目は、不図示）。一枚の布地２を輪にしてあってもよいし、それぞれに別の写真等が印刷された布地２を二枚以上繋げて輪にしてもよい。本実施形態では、壁掛け１を二枚繋げて輪にしている。
【００３０】
図４（ａ）に示すように、軸棒９は、第１軸部１０と、第２軸部１１とから形成される。
【００３１】
軸棒９は、略Ｈ字型をしている。軸棒９は、第２軸部１１の両端に第２軸部１１と直交する方向に延びる第１軸部１０が設けられ、一体的に形成される。軸棒９は、１本の棒の両端である第１軸部１０の部分を残して削り、第１軸部１０よりも細い第２軸部１１が形成される。すなわち、第１軸部の長辺方向の幅は、第２軸部の短辺方向の幅より太く形成されることになる。
【００３２】
軸棒９は、図３に示すように、布地２ａの輪に通される。具体的には、布地２ａの輪に軸棒９を通し、第２軸部１１の部分に布地２ａが掛かるようにする。壁掛け１Ａは、図示しない引掛け具により壁などに掛けて飾られる。
【００３３】
本実施形態では、布地２ａから突出する第１軸部１０が、第２軸部１１と垂直な方向に延びてストッパーの役割をし、布地２ａが軸棒９から落ちることがない。
【００３４】
また、布地２ａは、輪になっているので、布地２ａを軸棒９の第２軸部１１の周りを回転させてずらすことで、表示される内容を変更することができる。すなわち、布地２ａに複数印刷されている印刷物の好みの面が飾った時に正面に来るように飾る事ができる。
【００３５】
軸棒９は、引掛け具を含む軸１本でも良いが、図５に示すように、布地２ａの下部分にも通すと、重しとなり、布地２ａが風ではためく心配がない。
【００３６】
なお、第１軸部１０には、壁掛け１Ａを装飾する装飾品を挿す凹み部１２が設けられていてもよい。
＜実施形態２の変形例＞
【００３７】
実施形態２の変形例では、実施形態２の軸棒９にさらに回転機構が設けられている。回転機構は、布地２ａを送ることができれば、どのような構造になっていてもよい。回転機構は、第２軸部１１に設けられる。回転機構により、第２軸部１１に布地２ａが引っ掛かり、第１軸部１０を回転させると布地２ａが回転方向に送られ、壁に掛けた際に正面に位置する布地２ａに印刷された写真等の印刷物を変えることができる。
【００３８】
回転機構は、布地２ａを送ることができれば、どのような構造になっていてもよい。
【００３９】
以上、本考案に係る壁掛けの実施形態について説明したが、これらは本考案の実施形態の一例に過ぎず、本考案はこれらに限定されるものではない。本考案には、以上の各実施形態を組み合わせた形態や、様々な変形例が含まれる。上述のいずれかの壁掛けが、他の実施形態の特徴を併せ持つものであってもよい。また、実施形態の中で説明した特徴の組み合わせの全てが考案の課題を解決するための手段に必須であるとは限らない点に留意すべきである。
【符号の説明】
【００４０】
１，１Ａ：壁掛け
２，２ａ：布地
３：目盛り領域
４：タイトル領域
５：写真領域
６：第１写真領域
７：第２写真領域
８：メッセージ領域
９：軸棒
１０：第１軸部
１１：第２軸部
１２：凹み部
【図１】
0003217233.tif 000003
【図２】
0003217233.tif 000004
【図３】
0003217233.tif 000005
【図４】
0003217233.tif 000006
【図５】
0003217233.tif 000007